(57)【要約】【課題】  ユーザが、商品の具体的なメーカ名や商品名などを覚えていない場合でも、容易に所望の商品の情報に取得して電子ショッピングを行うことができる枠組みを提供する。【解決手段】  商品情報掲載媒体を特定する情報を検索キーとして、当該媒体に掲載される商品の情報を検索できるように構成されたデータベースと、ユーザから商品情報掲載媒体の前記特定情報を受け付ける受付手段と、前記受け付けた特定情報に基づき前記データベースを検索し、対応する商品の情報を抽出する抽出手段と、前記抽出した商品の情報をユーザに提示し、該商品に関する電子ショッピング機能を提供するショッピング手段と、を備える。【選択図】図３
2006185029.tif 000002
【特許請求の範囲】
【請求項１】
商品情報掲載媒体を特定する情報を検索キーとして、該媒体に掲載された商品の情報を検索できるように構成されたデータベースと、
ユーザから商品情報掲載媒体の前記特定情報を受け付ける受付手段と、
前記受け付けた特定情報に基づき前記データベースを検索し、対応する商品の情報を抽出する抽出手段と、
前記抽出した商品の情報をユーザに提示し、該商品に関する電子ショッピング機能を提供するショッピング手段と、
を備えたことを特徴とする情報処理システム。
【請求項２】
前記データベースは、商品種類情報、価格、又は／及びメーカ情報を検索キーとして、商品の情報を検索できるように構成されており、
前記受付手段が、ユーザから、前記特定情報と、商品種類情報、価格、又は／及びメーカ情報とを受け付けた場合、前記抽出手段は、前記受け付けた特定情報と、商品種類情報、価格、又は／及びメーカ情報とに基づき、前記データベースを検索し、対応する商品の情報を抽出することを特徴とする請求項１記載の情報処理システム。
【請求項３】
前記商品はファッション、家具、雑貨、ダイエット食品、健康食品、又は／及びコスメ商品であり、前記商品情報掲載媒体は雑誌等媒体であることを特徴とする請求項１又は２記載の情報処理システム。
【請求項４】
前記データベースは、商品情報掲載媒体を特定する情報を検索キーとして、該商品情報掲載媒体のイメージ情報を検索できるように構成されており、
前記抽出手段は、前記受け付けた特定情報に対応する商品情報掲載媒体のイメージ情報を抽出し、
前記ショッピング手段は、前記抽出した商品の情報及びイメージ情報をユーザに提示することを特徴とする請求項１乃至３のいずれか１項に記載の情報処理システム。
【請求項５】
ユーザから商品情報掲載媒体の前記特定情報を受け付ける受付工程と、
商品情報掲載媒体を特定する情報を検索キーとして、該媒体に掲載される商品の情報を検索できるように構成されたデータベースを参照し、前記受け付けた特定情報に対応する商品の情報を抽出する抽出工程と、
前記抽出した商品の情報をユーザに提示し、該商品に関する電子ショッピング機能を提供するショッピング工程と、
を備えたことを特徴とする情報処理方法。
【請求項６】
請求項５記載の情報処理方法をコンピュータで実行させるための情報処理プログラム。
【発明の詳細な説明】
【技術分野】
【０００１】
本発明は、電子ショッピングを実現する際の、商品を検索するための情報処理技術に関わる。
【背景技術】
【０００２】
近年、サービス、無体物を含む様々な商品を対象として、インターネット等を利用した電子ショッピングが急速に広がってきている。
【０００３】
通常、電子ショッピングの枠組みでは、商品提供者がWebページ上に自己が取り扱う商品の情報を掲載することにより電子ショッピングサイト（仮想店舗サイト）を構築する。一方、商品の購入を検討するインターネットユーザはWebページ上の電子ショッピングサイトにアクセスして購入の申込等を行うことになる。
【０００４】
従来の電子ショッピングシステムでは、商品の情報は、商品種類やメーカといったカテゴリに階層的に分類されて管理されており、購入商品を選択する画面においても、その階層に従ってカテゴリごとに商品メニューが提示されるのが一般的である。また、商品名やメーカ名などによる検索機能を設けるなど、ユーザが所望の商品の情報を容易に取得できるように構成している場合も多い。
【発明の開示】
【発明が解決しようとする課題】
【０００５】
予め購入する商品を決めている場合など、ユーザが所望の商品についてメーカ名や商品名などを具体的に覚えている場合は、上記のようなカテゴリごとの商品メニューや商品名による検索機能などを利用して、効率よく所望の商品の情報にたどり着くことができる。
【０００６】
しかし、ユーザが商品のメーカ名や商品名などをはっきり覚えていない場合、カテゴリごとの商品メニュー等から順番に所望の商品を捜していかなければならず、非常に煩雑な作業となってしまう。
【０００７】
特に、ファッション関係の商品の場合、ユーザは、ファッション雑誌などの商品情報掲載媒体で商品の写真等を見て、その時の記憶や印象をもとに、電子ショッピングサイトで購入を試みようとする。しかし、多くの場合、その商品の具体的なメーカ名や商品名までは覚えていないため、いざ電子ショッピングサイトで購入しようとすると、上記のようにカテゴリごとの商品メニューから逐一捜していくか、又は、検索機能を利用するために、そのファッション雑誌等を探して商品名などを確認するところから始めなければならない事態におちいる。
【０００８】
そこで、本発明は、ユーザが、商品の具体的なメーカ名や商品名などを覚えていない場合でも、容易に所望の商品の情報を取得して電子ショッピングを行うことができる新たな枠組みを提供することを目的とする。
【課題を解決するための手段】
【０００９】
本発明の情報処理システムは、商品情報掲載媒体を特定する情報を検索キーとして、該媒体に掲載される商品の情報を検索できるように構成されたデータベースと、ユーザから商品情報掲載媒体の前記特定情報を受け付ける受付手段と、前記受け付けた特定情報に基づき前記データベースを検索し、対応する商品の情報を抽出する抽出手段と、前記抽出した商品の情報をユーザに提示し、該商品に関する電子ショッピング機能を提供するショッピング手段と、を備えたことを特徴とする。例えば、前記商品はファッション又は／及びコスメ商品であり、前記商品情報掲載媒体はファッション雑誌である。
【００１０】
好適には、前記データベースは、商品種類情報、価格、又は／及びメーカ情報を検索キーとして、商品の情報を検索できるように構成されており、前記受付手段が、ユーザから、前記特定情報と、商品種類情報、価格、又は／及びメーカ情報とを受け付けた場合、前記抽出手段は、前記受け付けた特定情報と、商品種類情報、価格、又は／及びメーカ情報とに基づき、前記データベースを検索し、対応する商品の情報を抽出することを特徴とする。
【００１１】
また好適には、前記データベースは、商品情報掲載媒体を特定する情報を検索キーとして、該商品情報掲載媒体のイメージ情報を検索できるように構成されており、前記抽出手段は、前記受け付けた特定情報に対応する商品情報掲載媒体のイメージ情報を抽出し、前記ショッピング手段は、前記抽出した商品の情報及びイメージ情報をユーザに提示することを特徴とする。
【００１２】
本発明の情報処理方法は、ユーザから商品情報掲載媒体の前記特定情報を受け付ける受付工程と、商品情報掲載媒体を特定する情報を検索キーとして、該媒体に掲載される商品の情報を検索できるように構成されたデータベースを参照し、前記受け付けた特定情報に対応する商品の情報を抽出する抽出工程と、前記抽出した商品の情報をユーザに提示し、該商品に関する電子ショッピング機能を提供するショッピング工程と、を備えたことを特徴とする。
【００１３】
本発明のプログラムは、本発明の情報処理方法の各工程をコンピュータ上で実行させることを特徴とする。本発明のプログラムは、ＣＤ−ＲＯＭ、磁気ディスク、半導体メモリなどの各種の記録媒体を通じて、又は通信ネットワークを介してダウンロードすることにより、コンピュータにインストールまたはロードすることができる。
【００１４】
なお、本明細書において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されても良い。
【発明の効果】
【００１５】
本発明によれば、ユーザが、商品の具体的なメーカ名や商品名などを覚えていない場合でも、容易に所望の商品の情報を取得して電子ショッピングを行うことができる。
【発明を実施するための最良の形態】
【００１６】
以下に本発明の実施形態について図面を用いて説明する。
【００１７】
図１は、本発明の実施形態である掲載媒体商品検索＆電子ショッピングシステム１００の概略構成を示すブロックダイアグラムである。図に示すように、掲載媒体商品検索＆電子ショッピングシステム１００は、電子ショッピングサイトを提供する情報処理システム１、該電子ショッピングサイトを利用して商品を購入する各ユーザに対応する情報処理端末２等を備えている。情報処理システム１と各情報処理端末２とは、所定の通信ネットワークＮ（ＬＡＮ、インターネット、専用線、パケット通信網、それらの組み合わせ等のいずれであってもよく、有線、無線の両方を含む）を介して相互に通信可能に構成されている。
【００１８】
このような掲載媒体商品検索＆電子ショッピングシステム１００は、例えば従来のＷｅｂアプリケーションサーバシステムの技術を用いて構成することができる。この場合、情報処理システム１は、Ｗｅｂサーバ、ＡＰ（アプリケーション）サーバ及びデータベースサーバとして機能し、クライアントとして機能する各情報処理端末２から例えばＨＴＴＰプロトコルに従い送信される電子ショッピングに関する所定の要求を受け付けると、この所定の要求に応じた処理を行い、その処理結果を各情報処理端末２に送信する。また、各情報処理端末２は、例えばＷｅｂブラウザ等を実装しており、ユーザの操作に従って電子ショッピングに関する所定の要求を情報処理システム１に対して送信するとともに、情報処理システム１における処理結果を受信するとこれをＷｅｂブラウザ上に表示する。
【００１９】
図２は、情報処理システム１のハードウェア構成を示すブロック図である。図２に示すように、情報処理システム１は、ＣＰＵ、ＲＯＭ、ＲＡＭ、外部記憶装置、ユーザインタフェース、ディスプレイ、プリンタ、および通信インタフェース等のハードウェアを備える汎用のコンピュータにより構成することができる。なお、情報処理システム１は、単一のコンピュータにより構成されるものであっても、ネットワーク上に分散した複数のコンピュータにより構成されるものであってもよい。
【００２０】
図３は、情報処理システム１の機能構成を示すブロック図である。図３に示すように、情報処理システム１は、商品情報データベース１０、掲載媒体情報データベース１１、通信手段１２、制御手段１３等を含んで構成される。これらの各機能手段は、ＣＰＵが、ＲＯＭ、ＲＡＭ、外部記憶装置などに記憶された所定のプログラム（本発明の情報処理方法を規定したプログラム等）を実行することにより、実現される。
【００２１】
情報処理端末２は、キーボード等の入力装置やディスプレイやプリンタ等の出力装置を含み、本情報処理システム１を利用するユーザからの入力を受け付けるとともに、ユーザに対し情報を出力することができる構成となっている。このような情報処理端末２としては、一般的なパソコンや携帯端末を用いることができる。なお、情報処理端末２は、本情報処理システム１の一部として構成してもよい。
【００２２】
以下、情報処理システム１の構成について詳細に説明する。なお、本発明において、どのような商品（サービス等の無体物を含む）を対象とするかは設計に応じて定めることができ、例えば、ファッション、家具、雑貨、ダイエット食品、健康食品、コスメ商品などを具体的に考えることができるが、本実施形態では洋服や化粧品などのファッション／コスメ商品を対象とした場合を例として説明を行う。また同様に、商品情報掲載媒体としてどのような媒体を選定するかについても設計に応じて定めることができ、例えば雑誌などの出版物系の媒体からＴＶ番組などの放送系の媒体まで種々考えることができるが、本実施形態では商品情報掲載媒体としてファッション雑誌を選定した場合を例として説明を行う。
【００２３】
商品情報データベース１０は、商品に割り当てた商品ＩＤに対応づけて、商品情報を記憶している。
【００２４】
商品ＩＤは、商品を識別するための情報である。例えば、商品提供者を識別するための識別情報と、いわゆる品番（商品提供者自身が自己の商品を識別するために用いる識別情報）とから構成することができる。
【００２５】
商品情報は、例えば、商品種別（ニット、ワンピースなど）、ブランド名、商品提供者情報（メーカ名など）、価格、在庫情報、商品説明情報などの情報を含んで構成される。
【００２６】
このうち、商品説明情報は、例えば商品の特徴情報、商品イメージ情報などを含んで構成される。商品説明情報は、記憶手段に記憶できる形態であればどのような形態の情報でもよく、例えば、テキスト、表、グラフ、音声、画像（動画、静止画）、又はこれらを含むようなCSV、ｈｔｍｌ（Hyper Text Markup Language）により記述された情報、コンピュータプログラムなど種々の形態が考えられる。
【００２７】
図４に、商品情報データベース１０のデータ構造を概念的に示す。データの管理や検索には、リレーショナルデータベース等の従来のデータベース技術を用いることができる。
【００２８】
掲載媒体情報データベース１１は、ファッション雑誌に割り当てた雑誌ＩＤに対応づけて、ファッション雑誌の関連情報、当該ファッション雑誌に掲載されている商品の商品ＩＤ等を記憶している。
【００２９】
雑誌ＩＤは、商品情報掲載媒体として選定したファッション雑誌を識別するための情報である。雑誌ＩＤは、本システムの運用者において重複しないように任意に設定でき、例えばＩＳＢＮコードを用いることもできる。
【００３０】
ファッション雑誌の関連情報は、例えば雑誌名、発行月情報、表紙のイメージ情報などを含んで構成される。該関連情報は、商品説明情報と同様、種々の形態を取ることができる。
【００３１】
図５に、掲載媒体情報データベース１１のデータ構造を概念的に示す。商品情報データベース１０同様、このようなデータ構造は、例えばリレーショナルデーターベース等の従来のデータベース技術を用いて構成することができる。
【００３２】
なお、図４、５に示すデータ構造は一例であり、他のデータ構造等を採用してもよい。
【００３３】
通信手段１２は、通信ネットワークＮを介して情報処理端末２に対し（すなわち、ユーザに対し）情報を入出力可能に構成されており、例えばＰＰＰドライバ、ＴＣＰ／ＩＰドライバ等の通信モジュールを備えている。
【００３４】
制御手段１３は、情報処理システム１全体の動作を制御して電子ショッピングサイトを構築・提供するとともに、雑誌名等の検索キーを受け付ける処理、雑誌名等に基づく商品検索・抽出処理、電子ショッピング処理などを実行する。図３では、制御手段１３において実行される上記の各処理をそれぞれ機能手段としてとらえて図示している。
【００３５】
なお、制御手段１３は、上記処理以外にも、例えば、ユーザからのリクエストに応じて所定の情報を提供する処理や、各データベースに商品情報やファッション雑誌等の関連情報などを登録する処理など、種々の処理を実行する。
【００３６】
以下、図６、図７に示すフローチャートに基づいて、掲載媒体商品検索＆電子ショッピングシステム１００によって実現される枠組みを説明する。なお、各ステップ（符号が付与されていない部分的な工程を含む）は処理内容に矛盾を生じない範囲で任意に順番を変更して又は並列に実行することができる。
【００３７】
制御手段１３は、ユーザから情報処理端末２を介して情報処理システム１の電子ショッピングサイトへのアクセスを受け付けた場合、商品選択画面情報を該情報処理端末２に送信する（Ｓ１００）。インターネットを経由して商品選択画面情報を送信する場合、例えばＨＴＭＬ（Hyper Text Markup Language）等で該画面情報を記述することができる。
【００３８】
商品選択画面情報には、従来の電子ショッピングサイトと同様に、種々の情報を含ませることができる。
【００３９】
例えば、商品選択画面情報は、商品種類や価格、メーカ名、ブランド名といったカテゴリ別に商品を選択するためのカテゴリメニュー画面情報を含むことができる。
【００４０】
カテゴリメニュー画面情報は、例えば、カテゴリを選択するための画面情報、選択したカテゴリの中から商品を選択するための画面情報、というように階層的に構成することができる。これら階層的な関係にある個々の画面情報は別ファイルとして構成してもよく、その場合、例えばユーザがカテゴリを選択した場合に次の画面に対応する画面情報ファイルを送信するなど、逐次的に画面情報を送信する構成としてもよい。階層数は設計に応じて定めることができる。
【００４１】
また例えば、商品選択画面情報は、商品種類や価格、メーカ名、ブランド名などで検索するための検索キー入力画面情報を含むことができる。検索キー入力画面情報は、例えばプルダウンメニュー等を用いて検索キーを選択入力できるように構成することが考えられる。
【００４２】
ここで、本実施形態の商品選択画面情報は、上記のような従来と同様の画面情報に加え、更に、雑誌名で検索するための検索キー入力画面情報を含んでいる点で、従来とは異なっている。
【００４３】
情報処理端末２は、商品選択画面情報を受信すると、例えばＷＥＢブラウザにより商品選択画面を表示して、ユーザからの入力を待機する（Ｓ１０１）。これにより、ユーザは、商品選択画面を参照して、検索キー（商品種類、メーカ名、ブランド名、雑誌名など）を選択して検索を指示したり、カテゴリメニューや検索結果に基づいて商品を指定し、購入処理への移行を指示することができる。
【００４４】
情報処理端末２は、ユーザから検索指示を受け付けた場合、ユーザが選択した検索キーとともに検索リクエストを情報処理システム１に送信する（Ｓ１０２）。
【００４５】
制御手段１３は、情報処理端末２から検索キーとともに検索リクエストを受信した場合、該検索キーに雑誌名が含まれているか否かを判断する（Ｓ１０３）。
【００４６】
雑誌名が含まれている場合は、制御手段１３は、雑誌検索キー有りとのフラグを立てるとともに、掲載媒体情報データベース１１を参照し、該雑誌名に対応する商品ＩＤ（雑誌検索商品ＩＤ）を抽出する（Ｓ１０４）。このとき、雑誌名以外のファッション雑誌関連情報（例えば表紙のイメージ情報など）を併せて抽出する構成としてもよい。
【００４７】
一方、検索キーに雑誌名が含まれていない場合は、制御手段１３は、雑誌検索キー無しとのフラグを立てる（Ｓ１０５）。
【００４８】
次に、制御手段１３は、検索キーに商品種類や価格、メーカ名、ブランド名が含まれているか否かを判断する（Ｓ１０６）。
【００４９】
検索キーに商品種類等が含まれている場合は、制御手段１３は、通常検索キー有りとのフラグを立てるとともに、商品情報データベース１０を参照し、該商品種類等に対応する商品ＩＤ（通常検索商品ＩＤ）を抽出する（Ｓ１０７）。
【００５０】
一方、商品種類等が含まれていない場合は、制御手段１３は、通常検索キー無しとのフラグを立てる（Ｓ１０８）。
【００５１】
次に、制御手段１３は、雑誌検索キー及び通常検索キーのフラグ状況を判断する（Ｓ１０９）。
【００５２】
雑誌検索キー無しフラグ及び通常検索キー無しフラグが立っている場合、制御手段１３は、検索に必要な情報が入力されていないと判断し、エラーメッセージを情報処理端末２に送信する（Ｓ１１０）。
【００５３】
情報処理端末２は、エラーメッセージを受信した場合、例えばＷＥＢブラウザにより該メッセージを表示し（Ｓ１１１）、ユーザからの入力に応じてＳ１０１に戻る。
【００５４】
一方、制御手段１３は、雑誌検索キー有りフラグ又は通常検索キー有りフラグのいずれか一方が立っている場合、フラグが立っている方の抽出結果を検索結果商品ＩＤとして設定する（Ｓ１１２）。
【００５５】
また、雑誌検索キー有りフラグ及び通常検索キー有りフラグの両方が立っている場合、雑誌検索商品ＩＤと通常検索商品ＩＤについて論理積を取り（すなわち、重複して抽出されている商品ＩＤを抽出し）、検索結果商品ＩＤとして設定する（Ｓ１１３）。
【００５６】
次に、制御手段１３は、商品情報データベース１０を参照し、前記設定した検索結果商品ＩＤに対応する商品情報を抽出する（Ｓ１１４）。
【００５７】
次に、制御手段１３は、前記抽出した商品情報に基づいて検索結果画面情報を生成し、情報処理端末２に送信する（Ｓ１１５）。なお、Ｓ１０４において表紙のイメージ情報等を抽出している場合は、ユーザが検索結果とともに商品掲載雑誌を確認できるように、表紙のイメージ情報などを含めて検索結果画面情報を生成するように構成してもよい。
【００５８】
情報処理端末２は、検索結果画面情報を受信した場合、例えばＷＥＢブラウザにより検索結果画面を表示し（Ｓ１１６）、Ｓ１０１に戻ってユーザからの入力を待機する。
【００５９】
一方、Ｓ１０１の待機時において、ユーザからカテゴリメニューや検索結果画面に基づいて商品の指定とともに購入処理の移行指示を受け付けた場合、情報処理端末２は、指定商品に対応する商品ＩＤとともに購入リクエストを情報処理システム１に送信する（Ｓ１１７）。
【００６０】
制御手段１３は、情報処理端末２から商品ＩＤとともに購入リクエストを受信した場合、該商品ＩＤによって特定される商品（購入予定商品）についての電子ショッピング処理を実行する（電子ショッピング機能を提供する）（Ｓ１１８）。
【００６１】
電子ショッピング処理は、従来の電子ショッピング処理と同様であり、例えばユーザに購入予定商品の詳細情報を提示する処理、購入予定商品についてユーザから色やサイズなど商品属性や個数を受け付ける処理、いわゆる「電子カート（商品かご）」を用いて購入予定商品を登録／キャンセルする処理、電子ショッピングに必要な情報（氏名や住所などのユーザ固有情報、決済のためのクレジットカード情報など）を受け付ける処理、購入予定商品について購入を確定させ、決済を行う処理などを含むことができる。情報処理システム１は、これらの各処理を実行するために必要な種々の情報を記憶・管理している。
【００６２】
なお、決済処理としては、いわゆるクレジットカード会社の決済サービスを利用する方法、インターネットを利用したプリペイド課金サービスを利用する方法、コンビニエンスストア等の店舗で支払うことにより決済する方法など、周知の技術を用いることができる。これらを利用する場合、本情報処理システム１は、各サービス運営会社の課金・決済サーバ等と送受信ができるように構成される。
【００６３】
このように本実施形態では、商品種類やメーカ名等のみならず、雑誌名に基づいて当該雑誌に掲載されている商品を検索できる構成を採用しているため、例えば「○○という雑誌に掲載されていたワンピース」のように、自由度の高い検索を行うことができる。その結果、ユーザが商品の具体的なメーカ名や商品名などを覚えていない場合でも、雑誌名などを検索キーとして所望の商品の情報に容易に取得することができ、効率よく電子ショッピングを行うことが可能となる。
【００６４】
（その他）
なお、本発明は、上記実施形態に限定されることなく種々に変形して適用することが可能である。
【００６５】
例えば、上記実施形態では、雑誌等媒体名を検索キーとして利用する構成について説明したが、更に当該雑誌の発行月や掲載ページなどを検索キーとして入力できるように構成してもよい。また、雑誌名以外であっても、雑誌等媒体を特定する情報であれば検索キーとして利用することができる。例えば、検索キー入力画面情報について、雑誌の表紙イメージの一覧を提示し、該表紙イメージをユーザに選択させるように構成してもよい。この場合、情報処理端末２は、ユーザが選択した表紙イメージに対応する雑誌ＩＤを検索キーとして情報処理システム１に送信すればよい。
【００６６】
また例えば、上記実施形態において情報処理システム１が実施している工程の一部（例えば、Ｓ１０３、Ｓ１０５、Ｓ１０９の判断など）を情報処理端末２において実施するように構成してもよい。
【００６７】
また例えば、上記実施形態では、雑誌名で検索した場合に当該雑誌の表紙イメージ等を検索結果として表示するように構成しているが、商品種類やメーカ名など雑誌名以外で検索した場合にも、掲載媒体情報データベース１１を参照して、その検索結果の商品が掲載されている雑誌の表紙イメージ等を抽出し、検索結果とともに表示するように構成してもよい。
【００６８】
また例えば、雑誌に所定のコーディネイトパターン（例えば、キャップ、セーター、パンツなどの複数商品を組み合わせたパターン）が掲載されている場合であれば、その雑誌名を検索キーとして検索した場合に、それら複数商品についてはコーディネイトパターンとして関連づけて表示するように構成することも考えられる。この場合、当該複数商品をまとめて購入できるように電子ショッピング機能を構成したり、当該複数商品をプレゼントする企画の応募申請をユーザから受け付けるように構成したりすることも考えられる。
【００６９】
また例えば、上記実施形態では、各データベース１０、１１を設けて、これら複数のデータベースを協調させて、雑誌等媒体名を検索キーとして、当該媒体に掲載される商品の情報を検索できるデータベース機能を形成しているが、各データベース１０、１１は、いずれも商品ＩＤに関連づけて情報を記憶しておくデータ構造となっているため、これら複数のデータベースをまとめて、商品ＩＤをキーとして検索可能な１つのデータベースとして構成してもよい。
【図面の簡単な説明】
【００７０】
【図１】掲載媒体商品検索＆電子ショッピングシステム１００の概略構成を示すブロック図である。
【図２】情報処理システム１のハードウェア構成を示すブロック図である。
【図３】情報処理システム１の機能構成を示すブロック図である。
【図４】商品情報データベース１０のデータ構造を説明するための図である。
【図５】掲載媒体情報データベース１１のデータ構造を説明するための図である。
【図６】掲載媒体商品検索＆電子ショッピングシステム１００によって実現される枠組みを説明するためのフローチャートである。
【図７】掲載媒体商品検索＆電子ショッピングシステム１００によって実現される枠組みを説明するためのフローチャートである。
【符号の説明】
【００７１】
１  情報処理システム
２  情報処理端末
１０  商品情報データベース
１１  掲載媒体情報データベース
１２  通信手段
１３  制御手段
１００  掲載媒体商品検索＆電子ショッピングシステム
【図１】
2006185029.tif 000003
【図２】
2006185029.tif 000004
【図３】
2006185029.tif 000005
【図４】
2006185029.tif 000006
【図５】
2006185029.tif 000007
【図６】
2006185029.tif 000008
【図７】
2006185029.tif 000009